(57)【要約】
【課題】　部品点数を増すことなく、しかも、商品のパッキングの際の作業性を改善して、全体として、低コストに抑えることができる構造の商品陳列具を提供する。
【解決手段】　台紙１と透明な保持カバー２との間に商品Ｇを挿入して、商品の吊り下げ部Ｈを台紙１に吊持するようにし、保持カバー２の側から商品Ｇが透視できるようにしたパッケージ型の商品陳列具において、台紙１には、一側縁側から商品の吊り下げ位置に延びる上下の切り込みＣが形成されており、商品の吊り下げ部Ｈに対応して、切り込みＣによって台紙１の一部に形成される帯状の吊り下げ片３は、その自由端側に、両側に突出する係止部３ａ、３ａを備えており、台紙１には、上下の切り込みＣの縁に係止部３ａ、３ａと係合する係合縁部１ａ、１ａが形成されている。
【選択図】　　　図１
0003099544.tif 000002
【実用新案登録請求の範囲】
【請求項１】
台紙と保持カバーとの間に商品を挿入して、商品の吊り下げ部を前記台紙の側に吊持するようにし、保持カバーの側から商品が透視できるようにしたパッケージ型の商品陳列具において、
　前記台紙には、一側縁側から商品の吊り下げ位置に延びる上下の切り込みが形成されており、
　前記商品の吊り下げ部に対応して、該切り込みに沿って前記台紙の一部に形成される吊り下げ片は、その自由端側に、両側に突出する係止部を備えており、
　前記台紙には、前記上下の切り込みの縁に、前記係止部と係合する係合縁部が形成されており、前記商品の吊り下げ部を前記吊り下げ片に吊り下げた状態で、前記吊り下げ片の係止部を前記台紙の係合縁部の裏側に係止させるようにしたことを特徴とする商品陳列具。
【請求項２】
台紙と保持カバーとの間に商品を挿入して、商品の吊り下げ部を前記台紙の側に吊持するようにし、保持カバーの側から商品が透視できるようにしたパッケージ型の商品陳列具において、
　前記台紙には、台紙内に位置して、商品の吊り下げ位置から側方に延びる上下の切り込みが形成されており、
　前記商品の吊り下げ部に対応して、該切り込みに沿って前記台紙の一部に形成される吊り下げ片は、その自由端側に、両側に突出する係止部を備えており、
　前記台紙には、前記上下の切り込みの縁に、前記係止部と係合する係合縁部が形成されており、前記商品の吊り下げ部を前記吊り下げ片に吊り下げた状態で、前記吊り下げ片の係止部を前記台紙の係合縁部の裏側に係止させるようにしたことを特徴とする商品陳列具。
【請求項３】
前記吊り下げ片は、前記切り込みによって、その自由端側が矢印形に形成され、その矢尻の部分の両側基部が前記係止部となっており、該係止部が前記切り込みの上下縁部に沿って形成される前記係合縁部の裏側にスライドして係合自在とされていることを特徴とする請求項１又は２に記載の商品陳列具。
【請求項４】
前記吊り下げ片は、前記商品の吊り下げ部を受ける凹部を、その上辺部に形成していることを特徴とする請求項１乃至３のいずれか１項に記載の商品陳列具。
【請求項５】
前記切り込み及び該切り込みによって前記台紙の一部に形成される吊り下げ片は、１枚の台紙の複数位置に形成されていることを特徴とする請求項１乃至４のいずれか１項に記載の商品陳列具。
【考案の詳細な説明】
【技術分野】
【０００１】
　本考案は、主として、環状の吊り下げ部を有する小型容器、キーホルダなどの商品を、陳列表示を兼ねて収容するパッケージ型の商品陳列具に関するものである。
【背景技術】
【０００２】
　従来から、この種のパッケージ型の商品陳列具は、登録実用新案公報第３０４３１１号にも開示されているように、台紙と透明なプラスチック製保持カバーとの間に商品を挿入して、商品の吊り下げ部を、前記台紙に吊持するようにしている。この際、商品をパッケージ内部に保持するために、台紙には、前記吊り下げ部を吊持する吊持ち部品が装着されており、商品のパッキングの際に、この吊持ち部品を、前記吊り下げ部に係合し、台紙に固定する手作業が必要になる。
【０００３】
　しかし、このような従来の商品陳列具は、売買成立後は、包装材としての機能を果たすだけのものとなり、消費者側で特別に保存容器として残されない限り、単に廃棄物となる。また、この商品陳列具のコストは、商品価格に掛かるので、販売側にしても、できるだけ低コストに抑える必要がある。そのため、吊持ち部品を台紙とは別に用意することによる部品点数の増加、商品のパッキングの際、吊持ち部品の取付けの手作業が面倒であるなどの欠点を排除する工夫が必要となる。
【特許文献１】登録実用新案公報第３０４３１１号
【考案の開示】
【考案が解決しようとする課題】
【０００４】
　本考案は、上記のような事情に基づいてなされたもので、その目的とするところは、部品点数を少なくし、しかも、商品のパッキングの際の作業性を改善して、全体として、低コストに抑えることができる構造の商品陳列具を提供することである。
【課題を解決するための手段】
【０００５】
　このため、請求項１の考案は、台紙１と透明な保持カバー２との間に商品Ｇを挿入して、商品の吊り下げ部Ｈを台紙１に吊持するようにし、保持カバー２の側から商品Ｇが透視できるようにしたパッケージ型の商品陳列具において、台紙１には、一側縁側から商品の吊り下げ位置に延びる上下の切り込みＣが形成されており、商品の吊り下げ部Ｈに対応して、切り込みＣに沿って台紙１の一部に形成される帯状の吊り下げ片３は、その自由端側に、両側に突出する係止部３ａ、３ａを備えており、台紙１には、上下の切り込みＣの縁に、係止部３ａ、３ａと係合する係合縁部１ａ、１ａが形成されている。商品の吊り下げ部Ｈを吊り下げ片３に吊り下げた状態で、吊り下げ片３の係止部３ａ、３ａを台紙１の係合縁部１ａ、１ａの裏側に係止させるようにしている。
【０００６】
　また、請求項２の考案は、台紙１と透明な保持カバー２との間に商品Ｇを挿入して、商品の吊り下げ部Ｈを台紙１の側に吊持するようにし、保持カバー２の側から商品Ｇが透視できるようにしたパッケージ型の商品陳列具において、台紙１には、台紙１内に位置して、商品の吊り下げ位置に延びる上下の切り込みＣが形成されており、商品の吊り下げ部Ｈに対応して、切り込みＣによって台紙１の一部に形成される帯状の吊り下げ片３は、その自由端側に、両側に突出する係止部３ａ、３ａを備えており、台紙１には、切り込みＣの縁の係止部３ａ、３ａと対応する位置に、係止部３ａ、３ａと係合する係合縁部１ａ、１ａが形成されている。商品の吊り下げ部Ｈを吊り下げ片３に吊り下げた状態で、吊り下げ片３の係止部３ａ、３ａを台紙１の係合縁部１ａ、１ａの裏側に係止させるようにしている。
【０００７】
　また、請求項３の考案では、吊り下げ片３は、切り込みＣによって、その自由端側が矢印形に形成され、その矢尻の部分の両側基部が係止部３ａ、３ａとなっており、係止部３ａ、３ａが切り込みＣの上下縁部に沿って形成される係合縁部１ａ、１ａの裏側にスライドして係合自在とされていることを特徴とする。
【０００８】
　更に、請求項４の考案では、前記吊り下げ片は、前記商品の吊り下げ部を受ける凹部３ｂを、その上辺部に形成していることを特徴とする。
【０００９】
　請求項５の考案は、切り込みＣ及び吊り下げ片３は、１枚の台紙の複数位置に形成され、１枚の台紙に複数の商品を吊り下げ保持させるようにしている。
【考案の効果】
【００１０】
　本考案の商品陳列具は、台紙の一部に、商品の吊り下げ部を吊持する吊り下げ片を切り込みにより形成させるだけの簡単な構造で、別部品を用いることなく、台紙への商品の吊持を確保でき、しかも、商品のパッキングに際して、吊り下げ片の係止部を、台紙側に形成された係合縁部にスライド係合するだけの簡単な手作業で済むことができ、全体として、低コスト化できるという実用上の効果が得られる。
【考案を実施するための最良の形態】
【００１１】
（第１の実施の形態）
　以下、本考案を実施するための最良の形態を、図面を参照しながら、具体的に説明する。ここでの商品陳列具は、図１に示すように、方形の台紙１と背面側が開放されたコ字形の透明な保持カバー２（主として、硬質の合成樹脂製シートから成形）との間に、例えば、小型容器などの商品Ｇを挿入して、商品の吊り下げ部Ｈを、台紙１に吊持するようにしたパッケージ型のものである。
【００１２】
　そして、台紙１には、一側縁側から商品の吊り下げ位置に延びる上下の切り込みＣが水平方向に形成されており、商品の吊り下げ部Ｈに対応して、切り込みＣによって台紙１の一部に形成される帯状の吊り下げ片３は、その自由端側に、両側に突出する係止部３ａ、３ａを備えており、台紙１には、切り込みＣの上下の縁の沿って、前記一側縁の近傍に、係止部３ａ、３ａと係合する係合縁部１ａ、１ａが形成されている。
【００１３】
　また、この実施の形態では、保持カバー２は、その両側縁に台紙１を抱え込むスライドガイド２ａ、２ａが形成されており、その上下の縁には、内向きの補強縁部２ｂ、２ｂが形成されている。更に、台紙１には、パッケージの上下の端面を構成するフラップ１ｂ、１ｃが折り曲げ、形成されていて、前記の補強縁部２ｂ、２ｂに係合できるようになっている。また、台紙１の上側のフラップ１ｂには、舌片１ｄが形成されており、ここには、陳列台での、フック棒に吊り下げるための孔状（または鈎状）のフック１ｅが形成されている。
【００１４】
　なお、この実施の形態では、吊り下げ片３は、切り込みＣによって、その帯状部の自由端側に矢印形に形成され、その矢尻の上下基部が係止部３ａ、３ａとなっている。
　係止部は、図３に示すように、その自由端側に円盤状の係止部３ａ、３ａを形成しても良い。この場合、当然、係合縁部１ａ、１ａも、対応した形状となる。また、吊り下げ片３は、図３に示すように、台紙１の内部に形成しても良い。
【００１５】
　更に、この実施の形態では、吊り下げ片３は、商品Ｇの吊り下げ部Ｈを受ける凹部３ｂを、切り込み（図１、図２を参照）、あるいは、折り込み（図４を参照）によって、その上辺部に形成している。
【００１６】
　このような構成では、商品Ｇの吊り下げ部Ｈに、吊り下げ片３を、その自由端側から挿入して、その係止部３ａ、３ａを台紙１に裏側から係合縁部１ａ、１ａに係合させる。この際、吊り下げ部Ｈを凹部３ｂの位置に引っ掛ける。これにより、商品Ｇは吊り下げ部Ｈを台紙表面に支えながら吊り下げ片３に吊持される。
【００１７】
　この状態で、保持カバー２の上側から台紙１のフラップ１ｃをスライドガイド２ａ、２ａに沿って保持カバー２の内側に挿入し、最終的に、フラップ１ｃを保持カバー２の下側の補強縁部２ｂに支持させた状態で、台紙１を保持カバー２に組合せ、ステッチ等で結合させて商品Ｇを保持カバー２と台紙１との間に納める。
【００１８】
　そして、最後に、上側のフラップ１ｂの先端を保持カバー２の上側の補強縁部２ｂの内側に挿入して、パッケージの上面を塞ぐのである。
【００１９】
　このように、本考案の商品陳列具では、台紙１に、別部材によるフック部品を取り付けるのではなく、台紙自体に形成した吊り下げ片３で、商品Ｇの吊り下げ部Ｈを吊持するので、部品点数を低減して、コストを下げるだけでなく、商品Ｇのパッキング作業を単純化し、この面での人件費コストも低減できる利点が得られる。
【００２０】
（第２の実施の形態）
　ここでの本考案による商品陳列具は、パッケージ内に複数の商品を吊持するための実施の形態に適応するものである。即ち、この実施の形態では、商品陳列具は、台紙１と保持カバー２との間に商品Ｇを挿入して、商品の吊り下げ部Ｈを、台紙１に吊持する場合、台紙１には、商品の吊り下げ位置から側方に延びる切り込みＣが複数、形成されている。
【００２１】
　また、商品の吊り下げ部Ｈに対応して、切り込みＣによって台紙１の一部に形成される吊り下げ片３は、その自由端側に、両側に突出する係止部３ａ、３ａを備えており、台紙１には、切り込みＣによって、係止部３ａ、３ａと対応する位置に、係止部３ａ、３ａと係合する係合縁部１ａ、１ａが形成されている。なお、その他の構成は、第１の実施の形態と同様なので、その説明を省略する。
【図面の簡単な説明】
【００２２】
【図１】本考案に係る商品陳列具の第１の実施の形態を示す分解斜視図である。
【図２】同じく、パッキング状態を示す斜視図である。
【図３】同じく、切り込みの変形例を示す正面図である。
【図４】同じく、吊り下げ片の凹部の変形例を示す斜視図である。
【図５】本考案の第２の実施の形態を示す一部、分解斜視図である。
【符号の説明】
【００２３】
　　１　台紙
　　１ａ、１ａ　係合縁部
　　１ｂ、１ｃ　フラップ
　　１ｄ　舌片
　　１ｅ　フック
　　２　保持カバー
　　２ａ、２ａ　スライドガイド
　　２ｂ、２ｂ　補強縁部
　　３　吊り下げ片
　　３ａ、３ａ　係止部
　　３ｂ、３ｂ　凹部
　　Ｃ　切り込み
　　Ｇ　商品
　　Ｈ　吊り下げ部
【図１】
0003099544.tif 000003
【図２】
0003099544.tif 000004
【図３】
0003099544.tif 000005
【図４】
0003099544.tif 000006
【図５】
0003099544.tif 000007